(57)【要約】  本発明は、注射デバイス用キャップに関する。この注射デバイスは、その端から延びる針を有するシリンジを保持するための本体を含む。キャップは、本体に取り外し可能に取り付け可能である。キャップは、アクチュエータと、前記針を覆うためのニードルシールドとを含む。キャップは、アクチュエータとニードルシールドとの間のカップリングをさらに含む。このカップリングは、キャップが注射デバイスの本体に取り付けられているとき、本体から離れるようなアクチュエータの軸方向運動によって、本体に対するニードルシールドの回転が引き起こされるように構成される。
2018535034.tif 000002
【特許請求の範囲】
【請求項１】
針がその一端から延びるシリンジを保持するための本体を有する注射デバイス用キャップであって、該キャップは本体に取り外し可能に取り付け可能であり：
アクチュエータと；
前記針を覆うためのニードルシールドと；
キャップが注射デバイスの本体に取り付けられているとき、本体から離れるようなアクチュエータの軸方向運動によって、本体に対するニードルシールドの回転が引き起こされるように構成された、アクチュエータとニードルシールドとの間のカップリングと
を含む前記キャップ。
【請求項２】
カップリングは、キャップが注射デバイスの本体に取り付けられているとき、第１の距離だけ本体から離れるようなアクチュエータの軸方向運動によって、第１の距離よりも短い第２の距離だけ本体から離れるようなニードルシールドの軸方向運動が引き起こされるように構成される、請求項１に記載のキャップ。
【請求項３】
カップリングは、アクチュエータとニードルシールドとの間の接続部を含む、請求項１または２に記載のキャップ。
【請求項４】
接続部は、ねじ付接続部である、請求項３に記載のキャップ。
【請求項５】
ホルダをさらに含み、ここで、カップリングは、アクチュエータとニードルシールドとの間の第１の接続部と、ホルダとニードルシールドとの間の第２の接続部とを含む、請求項１または２に記載のキャップ。
【請求項６】
第１の接続部は、キャップが注射デバイスの本体に取り付けられているとき、本体から離れるようなアクチュエータの軸方向運動によって、本体に対するニードルシールドの回転が引き起こされるように構成され、第２の接続部は、本体に対するニードルシールドの回転によって、本体から離れるようなニードルシールドの軸方向運動が引き起こされるように構成される、請求項５に記載のキャップ。
【請求項７】
第１および第２の接続部は、ねじ付接続部を含む、請求項５または６に記載のキャップ。
【請求項８】
第１の接続部のピッチは、第２の接続部のピッチと異なり、好ましくは、第２の接続部のピッチよりも大きい、請求項７に記載のキャップ。
【請求項９】
本体に対するホルダの回転を防止するためにホルダを本体に解放可能に連結するロックをさらに含む、請求項５〜８のいずれか１項に記載のキャップ。
【請求項１０】
アクチュエータは第１のストッパを含み、ホルダは第２のストッパを含み、ここで、第１および第２のストッパは、キャップが本体に取り付けられているとき、アクチュエータが本体から離れるように動かされると、第１および第２のストッパが係合し、アクチュエータとホルダとの間の軸方向運動を制限するように構成される、請求項５〜９のいずれか１項に記載のキャップ。
【請求項１１】
アクチュエータはエンドキャップを含む、請求項１〜１０のいずれか１項に記載のキャップ。
【請求項１２】
ニードルシールドは、キャップが本体に取り付けられているとき、エンドキャップ内に
配置される、請求項１１に記載のキャップ。
【請求項１３】
その端から延びる針を有するシリンジを保持するための本体と、請求項１〜１２のいずれか１項に記載のキャップとを含む注射デバイス。
【請求項１４】
本体内に保持され一端に針を有するシリンジを含み、ニードルシールドは、キャップが本体に取り付けられているとき、シリンジと摩擦係合するように構成され、本体から離れるようなアクチュエータの軸方向運動によって、シリンジのまわりでのニードルシールドの回転が引き起こされる、請求項１３に記載の注射デバイス。
【請求項１５】
シリンジは薬剤を含む、請求項１４に記載の注射デバイス。
【請求項１６】
注射デバイスは自動注射器である、請求項１３〜１５のいずれか１項に記載の注射デバイス。
【請求項１７】
注射デバイスの本体からキャップを取り外す方法であって、該本体は、針がその一端から延びるシリンジを保持し、キャップは、前記針を覆うためのニードルシールドを含み：
キャップのアクチュエータを注射デバイスの本体から離れるように軸方向に動かすことを含み、
アクチュエータは、本体から離れるようなアクチュエータの軸方向運動によって本体に対するニードルシールドの回転が引き起こされるように構成されたカップリングによってニードルシールドに連結される、前記方法。
【発明の詳細な説明】
【技術分野】
【０００１】
本発明は、注射デバイス用キャップに関する。
【背景技術】
【０００２】
自動注射器などの注射デバイスは、患者の注射部位に薬剤を投薬するために当技術分野で知られている。そのような注射デバイスは、通常、本体とキャップとを含む。本体内には、針シリンジが位置する。キャップは、針シリンジの針を保護するために、本体に取り外し可能に取り付けられる。薬剤を投薬するために、キャップが最初に本体から取り外され、針を露出させる。次いで、針が、薬剤を投薬するために、注射部位において患者の身体に挿入される。
【０００３】
注射デバイスの輸送および収納中、キャップが誤って本体から取り外されないことを保証するために、キャップが十分な力で本体上に保持されることが重要である。このことは、針が滅菌状態を保ち、鋭利な針が負傷を引き起こすことも防止することを保証する。しかしながら、キャップと本体を一緒に保持するために必要とされる力は、特に患者が高齢者または虚弱な場合、注射の前に患者が意図的にキャップを本体から取り外すことを困難にすることがある。
【発明の概要】
【発明が解決しようとする課題】
【０００４】
本発明の目的は、改善された注射デバイスを提供することである。
【課題を解決するための手段】
【０００５】
本発明によれば、針がその一端から延びるシリンジを保持するための本体を有する注射デバイス用キャップであって、キャップは本体に取り外し可能に取り付け可能であり：アクチュエータと；前記針を覆うためのニードルシールドと；キャップが注射デバイスの本体に取り付けられているとき、本体から離れるようなアクチュエータの軸方向運動によって、本体に対するニードルシールドの回転が引き起こされるように構成された、アクチュエータとニードルシールドとの間のカップリングとを含む注射デバイス用キャップが提供される。
【０００６】
したがって、アクチュエータは、ニードルシールドを本体から取り外すために、本体から離れるように直線的に引っ張られる。このアクチュエータの引っ張り動作によって、ニードルシールドの取り外しが、高齢者および虚弱な人などの、ニードルシールドをねじるために必要とされる器用さを持たないことがある人々にとって、より容易なものになる。
【０００７】
一実施形態では、カップリングは、キャップが注射デバイスの本体に取り付けられるとき、第１の距離だけ本体から離れるようなアクチュエータの軸方向運動によって、第１の距離よりも短い第２の距離だけ本体から離れるようなニードルシールドの軸方向運動が引き起こされるように構成される。したがって、アクチュエータが、所与の力によって本体から離れるように引っ張られる場合、ニードルシールドを本体から離れるように付勢するようにニードルシールドに対して作用する合力は、前記所与の力よりも大きい。したがって、カップリングは、ニードルシールドを取り外すために患者が及ぼさなければならない力の量を減少させる。
【０００８】
カップリングは、アクチュエータとニードルシールドとの間の接続部を含むことができる。この接続部は、ねじ付接続部であることがある。
【０００９】
キャップは、ホルダをさらに含むことがあり、カップリングは、アクチュエータとニードルシールドとの間の第１の接続部と、ホルダとニードルシールドとの間の第２の接続部とを含む。一実施形態では、第１の接続部は、キャップが注射デバイスの本体に取り付けられているとき、本体から離れるようなアクチュエータの軸方向運動によって、本体に対するニードルシールドの回転が引き起こされるように構成され、第２の接続部は、本体に対するニードルシールドの回転によって、本体から離れるようなニードルシールドの軸方向運動が引き起こされるように構成される。
【００１０】
第１および第２の接続部は、ねじ付接続部を含むことができる。一実施形態では、第１の接続部のピッチは、第２の接続部のピッチと異なる。したがって、第１の距離だけ本体から離れるようなアクチュエータの軸方向運動により、ニードルシールドが、第２の距離だけ本体から離れるように動く。好ましくは、第１の接続部のピッチは、第２の接続部のピッチよりも大きい。したがって、第２の距離は第１の距離よりも小さく、したがって、所与の力が、本体から離れるようにアクチュエータを引っ張るためにアクチュエータに対して及ぼされる場合、本体から離れるようにニードルシールドを動かすためにニードルシールドに対して作用する合力は、前記所与の力よりも大きくなる。したがって、ニードルシールドを取り外すために患者が及ぼさなければならない力の量が低減される。
【００１１】
一実施形態では、キャップは、本体に対するホルダの回転を防止するためにホルダを本体に解放可能に連結するロックをさらに含む。このロックは、キャップが本体に取り付けられているとき本体と係合するように構成された１つまたはそれ以上の突出部または凹部を含むことができる。一実施形態では、注射デバイスは、引き込み可能なスリーブを含み、ロックの前記１つまたはそれ以上の突出部または凹部は、この引き込み可能なスリーブと係合するように構成される。
【００１２】
一実施形態では、アクチュエータは第１のストッパを含み、ホルダは第２のストッパを含み、第１および第２のストッパは、キャップが本体に取り付けられているとき、アクチュエータが本体から離れるように動かされると、第１および第２のストッパが係合し、アクチュエータとホルダとの間の軸方向運動を制限するように構成される。
【００１３】
アクチュエータは、エンドキャップを含むことができる。そのような一実施形態では、ニードルシールドは、キャップが本体に取り付けられているとき、エンドキャップ内に配置される。これによって、注射デバイスは、コンパクトで、収納しやすくなることができる。
【００１４】
アクチュエータは、アクチュエータを本体から離れるように軸方向に動かすために患者が把持することができるグリップを含むことができる。このグリップは、アクチュエータのフランジ付部分を含むことができる。
【００１５】
本発明によれば、その端から延びる針を有するシリンジを保持するための本体とキャップとを含む注射デバイスも提供される。
【００１６】
一実施形態では、注射デバイスは、本体内に保持され一端に針を有するシリンジを含み、ニードルシールドは、キャップが本体に取り付けられているとき、シリンジと摩擦係合するように構成され、本体から離れるようなアクチュエータの軸方向運動によって、シリンジのまわりでのニードルシールドの回転が引き起こされる。シリンジのまわりでのニードルシールドの回転運動によって、ニードルシールドとシリンジとの間の静止摩擦が減少し、シリンジからのニードルシールドの取り外しが容易になる。シリンジは、薬剤を含む。
【００１７】
一実施形態では、ニードルシールドはスピンドルを含み、カップリングは、アクチュエータとスピンドルの間にある。
【００１８】
一実施形態では、注射デバイスは自動注射器である。
【００１９】
本発明によれば、注射デバイスの本体からキャップを取り外す方法であって、本体は、針がその一端から延びるシリンジを保持し、キャップは、前記針を覆うためのニードルシールドを含み：キャップのアクチュエータを注射デバイスの本体から離れるように軸方向に動かすことを含み、アクチュエータは、本体から離れるようなアクチュエータの軸方向運動によって本体に対するニードルシールドの回転が引き起こされるように構成されたカップリングによってニードルシールドに連結される、方法も提供される。注射デバイスは、先に説明された注射デバイスの機能のうちの１つまたはそれ以上を含む。
【００２０】
本発明のこれらおよび他の態様は、以下に記載の実施形態から明らかであり、これを参照して説明することになる。
【００２１】
本発明の実施形態について、以下、単に例として、添付の図面を参照して述べる。
【図面の簡単な説明】
【００２２】
【図１Ａ】キャップが注射デバイスの本体に取り付けられた、本発明を実施する自動注射器の概略側面図である。
【図１Ｂ】キャップが本体から取り外された、図１Ａの自動注射器の概略側面図である。
【図２】シリンジの一部分がニードルシールド内に受けられる、本発明の第１の実施形態による注射デバイス用キャップの一部の概略断側面図である。
【図３】シリンジの前記部分がニードルシールドから部分的に取り外されている、図２のキャップの概略断側面図である。
【図４】シリンジの前記部分がニードルシールドから完全に取り外されている、図２のキャップの概略断側面図である。
【図５】アクチュエータが注射デバイスの本体に近接して位置する、本発明の第２の実施形態による注射デバイス用キャップの一部の概略断側面図である。
【図６】アクチュエータが本体から離れるように動かされる、図５のキャップの概略断側面図である。
【図７】アクチュエータが本体からさらに離れるように動かされる、図５のキャップの概略断側面図である。
【発明を実施するための形態】
【００２３】
薬物送達デバイスは、本明細書に記載のように、薬剤を患者に注射するように構成される。たとえば、送達は、皮下であっても、筋肉内であっても、静脈内であってもよい。そのようなデバイスは、患者または看護師もしくは医師などの介護者によって動作され、さまざまなタイプの安全シリンジ、ペン型注射器、または自動注射器を含むことができる。デバイスは、使用前に封止されたアンプルを穿孔することを必要とするカートリッジベースのシステムを含むことができる。これらのさまざまなデバイスを用いて送達される薬剤の量は、約０．５ｍｌから約２ｍｌの範囲に及ぶことがある。さらに別のデバイスは、「大」量の薬剤（通常、約２ｍｌから約１０ｍｌ）を送達するためにある期間（たとえば、約５、１５、３０、６０、または１２０分）にわたって患者の皮膚に付着するように構成された大容積デバイス（「ＬＶＤ」）またはパッチポンプを含むことができる。
【００２４】
特定の薬剤と組み合わせて、本記載のデバイスはまた、必要とされる仕様内で動作するためにカスタマイズされる。たとえば、デバイスは、特定の期間（たとえば、自動注射器の場合は約３から約２０秒、ＬＶＤの場合は約１０分から約６０分）内で薬剤を注射するようにカスタマイズされる。他の仕様は、低いレベルもしくは最小レベルの不快感、または人的要因、貯蔵寿命、満期、生体適合性、環境についての考慮事項などに関連する特定の条件を含む。そのような変形形態は、たとえば、約３ｃＰから約５０ｃＰの粘度の範囲に及ぶ薬物などのさまざまな要因により、生じることがある。したがって、薬物送達デバイスは、約２５から約３１ゲージのサイズの範囲に及ぶ中空針を含むことが多い。一般的なサイズは、２７および２９ゲージである。
【００２５】
本明細書に記載の送達デバイスは、１つまたはそれ以上の自動化された機能も含むことができる。たとえば、針の挿入、薬剤の注射、および針の後退のうちの１つまたはそれ以上が自動化可能である。１つまたはそれ以上の自動化ステップのためのエネルギーは、１つまたはそれ以上のエネルギー源によって提供可能である。エネルギー源は、たとえば、機械的エネルギー、空気エネルギー、化学エネルギー、または電気エネルギーを含む。たとえば、機械的エネルギー源は、ばね、てこ、エラストマー、またはエネルギーを貯蔵もしくは解放するための他の機械的機構を含む。１つまたはそれ以上のエネルギー源は、単一のデバイスへと連結可能である。デバイスは、ギア、弁、またはエネルギーをデバイスの１つもしくはそれ以上の構成要素の動きへと変換するための他の機構をさらに含むことができる。
【００２６】
自動注射器の１つまたはそれ以上の自動化された機能は各々、起動機構を介して起動される。そのような起動機構は、ボタン、レバー、ニードルスリーブ、または他の起動構成要素のうちの１つまたはそれ以上を含む。自動化された機能の起動は、１ステッププロセスまたは複数ステッププロセスである。すなわち、使用者は、自動化された機能を引き起こすために、１つまたはそれ以上の起動構成要素を起動することを必要とすることがある。たとえば、１ステッププロセスでは、使用者は、薬剤の注射を引き起こすために、本体に対してニードルスリーブを押し下げる。他のデバイスが、自動化された機能の複数ステップ起動を必要とすることがある。たとえば、使用者は、注射を引き起こすために、ボタンを押し下げ、ニードルシールドを後退させることが必要とされる。
【００２７】
さらに、１つの自動化された機能の起動が、１つまたはそれ以上のその後の自動化された機能を起動し、それによって、起動シーケンスを形成することができる。たとえば、第１の自動化された機能を起動すると、針の挿入、薬剤の注射、および針の後退のうちの少なくとも２つを起動することができる。デバイスによっては、１つまたはそれ以上の自動化された機能が行われるように、ステップの特定のシーケンスをも必要とする。他のデバイスは、独立したステップのシーケンスとともに動作する。
【００２８】
いくつかの送達デバイスは、安全シリンジ、ペン型注射器、または自動注射器の１つまたはそれ以上の機能を含むことができる。たとえば、送達デバイスは、薬剤を自動的に注射するように構成された機械的エネルギー源（通常、自動注射器において見られる）と、用量設定機構（通常、ペン型注射器において見られる）とを含む。
【００２９】
本開示のいくつかの実施形態によれば、例示的な薬物送達デバイス１０が図１Ａおよび図１Ｂに示されている。デバイス１０は、上記で説明されたように、薬剤を患者の身体に注射するように構成される。デバイス１０はハウジング１１を含み、ハウジング１１は、通常、注射されることになる薬剤を含むリザーバ（たとえば、シリンジ）と、送達プロセスの１つまたはそれ以上のステップを容易にするために必要とされる構成要素とを含む。デバイス１０は、ハウジング１１に着脱可能に取り付け可能なキャップアセンブリ１２も含むことができる。通常、使用者は、デバイス１０を動作可能にする前に、キャップ１２をハウジング１１から取り外ししなければならない。
【００３０】
図示のように、ハウジング１１は、実質的に円筒状であり、長手方向軸Ａ−Ａに沿って実質的に一定の直径を有する。ハウジング１１は、遠位領域Ｄと、近位領域Ｐとを有する。用語「遠位」は、注射の部位に比較的近い場所を指し、用語「近位」は、注射部位から比較的離れた場所を指す。
【００３１】
デバイス１０は、ハウジング１１に対するスリーブ１９の動きを可能にするために、ハウジング１１に連結されたニードルスリーブ１９も含むことができる。たとえば、スリーブ１９は、長手方向軸Ａ−Ａと平行な長手方向に動くことができる。具体的には、近位方向のスリーブ１９が動くと、針１７がハウジング１１の遠位領域Ｄから延びることができる。
【００３２】
針１７の挿入は、いくつかの機構を介して行われる。たとえば、針１７は、ハウジング１１に対して固定的に位置し、最初は、拡張されたニードルスリーブ１９内に位置する。スリーブ１９の遠位端を患者の身体に当て、ハウジング１１を遠位方向に動かすことによるスリーブ１９の近位運動によって、針１７の遠位端があらわになる。そのような相対運動によって、針１７の遠位端が患者の身体へと延びることができる。そのような挿入は、患者がスリーブ１９に対してハウジング１１を手で動かすことによって針１７が手動で挿入されるので、「手動」挿入と呼ばれる。
【００３３】
挿入の別の形態は、「自動化された」ものであり、それによって、針１７は、ハウジング１１に対して動く。そのような挿入は、スリーブ１９の動きによって、またはたとえばボタン１３などの別の起動の形態によってトリガすることができる。図１Ａおよび図１Ｂに示すように、ボタン１３は、ハウジング１１の近位端に位置する。しかしながら、他の実施形態では、ボタン１３は、ハウジング１１のある側面上に位置する。
【００３４】
他の手動または自動化された機能は、薬物の注射、または針の後退、または両方を含む。注射は、薬剤をシリンジ１８から針１７に通過させるために、栓すなわちピストン１４がシリンジ１８内の近位の場所からシリンジ１８内のより遠位の場所に動かされるプロセスである。いくつかの実施形態では、デバイス１０が起動される前、駆動ばね（図示せず）は圧縮下にある。駆動ばねの近位端は、ハウジング１１の近位領域Ｐ内に固定可能であり、駆動ばねの遠位端は、ピストン１４の近位表面に圧縮力を加えるように構成可能である。起動に続いて、駆動ばね内に貯蔵されたエネルギーの少なくとも一部は、ピストン１４の近位表面に加えられる。この圧縮力は、ピストン１４を遠位方向に動かすようにピストン１４に対して作用することができる。そのような遠位運動は、シリンジ１８内の液体薬剤を圧縮し、その液体薬剤を針１７から押し出すように作用する。
【００３５】
注射に続いて、針１７は、スリーブ１９またはハウジング１１内で後退可能である。使用者がデバイス１０を患者の身体から取り外すので、スリーブ１９が遠位方向に動くとき、後退が行われる。これが行われるのは、針１７がハウジング１１に対して依然として固定的に位置するからである。スリーブ１９の遠位端が針１７の遠位端を越えて動き、針１７が覆われると、スリーブ１９をロックすることができる。そのようなロッキングは、ハウジング１１に対するスリーブ１９の近位運動をロックすることを含む。
【００３６】
別の形態の針の後退は、針１７がハウジング１１に対して動かされる場合に行われる。そのような動きは、ハウジング１１内のシリンジ１８がハウジング１１に対して近位方向に動かされる場合に行われる。この近位運動は、遠位領域Ｄ内に位置する後退ばね（図示せず）を使用することによって達成可能である。圧縮された後退ばねは、起動されると、シリンジ１８を近位方向に動かすのに十分な力をシリンジ１８に供給することができる。十分な後退に続いて、針１７とハウジング１１との相対運動を、ロッキング機構でロックすることができる。さらに、ボタン１３またはデバイス１０の他の構成要素を、必要に応じてロックすることができる。
【００３７】
次に図２〜図４を参照すると、本発明の第１の実施形態による注射デバイス２０の一部が示されている。注射デバイス２０は、上記で図１Ａおよび図１Ｂに関して説明された自動注射器１０に類似した機能を有する自動注射器２０の形をとり、同じ機能は同じ参照番号を保有する。違いは、上記で説明された自動注射器１０のキャップ１２が省略され、代替キャップ２１に置き換えられているということである。
【００３８】
本発明の第１の実施形態の自動注射器２０のキャップ２１は、ニードルシールド２２およびアクチュエータ２３を含む。ニードルシールド２２は、ハウジング２４と、内側シース２５とを含む。内側シース２５は、ハウジング２４内で固定的に固設される。内側シース２５は円筒状の凹部２５Ａを含む。凹部２５Ａは、シリンジ１８の端部部分１８Ａを受けるように構成され、したがって、針１７は内側シース２５によって保護される。内側シース２５とシリンジ１８の端部部分１８Ａとの摩擦は、ニードルシールド２２を、針１７を覆う所定の位置に保持するのに十分である。
【００３９】
アクチュエータ２３は、エンドキャップ２３の形態をとる。エンドキャップ２３は、一端において円筒状の凹部２３Ａと、他端において、フランジ付き部分２３Ｂの形態をとるグリップとを含む。フランジ付き部分２３Ｂは、自動注射器２０の本体１１からキャップ２１を取り除くためのエンドキャップ２３の把持を容易にする。ニードルシールド２２のハウジング２４は略円筒状であり、エンドキャップ２３の凹部２３Ａの中に受けられる。
【００４０】
自動注射器２０は、ニードルシールド２２とエンドキャップ２３との間のカップリングをさらに含む。このカップリングは、ねじ山２７と突出部２８のペアとを有する接続部２６Ａを含む。
【００４１】
ねじ山２７は、ニードルシールド２２のハウジング２４の周囲表面へと形成され、自動注射器２０の中心軸Ａ−Ａのまわりに延びる。突出部２８は、エンドキャップ２３の内側表面の両側から突き出して、エンドキャップ２３の凹部２３Ａへと径方向に延びる。したがって、突出部２８は、ニードルシールド２２がエンドキャップ２３の凹部２３Ａ内に受けられると、ねじ山２７と係合する。
【００４２】
接続部２６Ａは、本体１１から離れるようなエンドキャップ２３の軸方向運動によって、突出部２８がねじ山２７と係合し、したがって、ニードルシールド２２が中心軸Ａ−Ａのまわりで（図３に示される矢印「Ｂ」の方向に）本体１１に対して回転するように構成される。本体１１から離れるようなエンドキャップ２３の軸方向運動によって、ニードルシールド２２も、本体１１から離れるように（図３における矢印「Ｆ」の方向に）軸方向に動く。
【００４３】
キャップ２１は、最初は、シリンジ１８の端部部分１８Ａが内側シース２５の凹部２５Ａ内に完全に受けられる（図２に示すように）ように、本体１１に取り付けられる。したがって、針１７は、針１７を滅菌状態に保ち、針１７が患者の負傷を引き起こすのを防止するために、ニードルシールド２２によって覆われる。
【００４４】
薬剤を注射するために、キャップ２１は、最初に、本体１１から取り外され、針１７を露出させなければならない。本体１１からのキャップ２１の取り外しは、患者が、一方の手で本体１１を保持し、他方の手で（図３および図４に示される矢印「Ｆ」の方向に）エンドキャップ２３に対して力を及ぼして、エンドキャップ２３を本体１１から離れるように引っ張ることによって達成される。これによって、突出部２８が、ニードルシールド２２に対して（矢印「Ｆ」の方向に）付勢され、したがって、突出部２８が、ねじ山２７に対して力を及ぼし、これによって、ニードルシールド２２が本体１１およびエンドキャップ２３に対して中心軸Ａ−Ａのまわりで回転する。ニードルシールド２２はまた、エンドキャップ２３が本体１１から離れるように引っ張られると、本体１１から離れるように軸方向に動く。
【００４５】
針１７は、本体１１に対して固定される。したがって、エンドキャップ２３が本体１１から離れるように引っ張られると、ニードルシールド２２は、針１７から離れるように軸方向に動き、したがって、ニードルシールド２２は、最初は、シリンジ１８の端部部分１８Ａから部分的に取り外されるようになり（図３に示される）、次いで、シリンジ１８の端部部分１８Ａから完全に取り外されるようになり、したがって、端部部分１８Ａは、もはや内側シース２５の凹部２５Ａ内に受けられない（図４に示される）。シリンジ１８の端部部分１８Ａが、内側シース２５内の凹部２５Ａから完全に取り外されると、キャップ２１と本体１１との間の摩擦が低減され、したがって、キャップ２１は、本体１１から容易に取り外し可能である。
【００４６】
エンドキャップ２３が本体１１から離れるように軸方向に動かされるときのシリンジ１８の端部部分１８Ａに対するニードルシールド２２の回転運動は、内側シース２５と端部部分１８Ａとの間の静止摩擦に打ち勝ち、本体１１からキャップ２１を取り外ししやすくする。本体１１に対するエンドキャップ２３の直線的な引っ張り動作（矢印「Ｆ」の方向における）によって、キャップ２１の取り外しは、本体１１に対してキャップ２１を手動でひねるために必要とされる器用さを持たないことがある高齢者および虚弱者にとって、より容易になる。
【００４７】
上記で説明された実施形態では、ニードルシールド２２のハウジング２４はねじ山２７を含み、エンドキャップ２３は突出部２８のペアを含むが、代替実施形態（図示せず）では、ニードルシールドは突出部のペアを含み、エンドキャップはねじ山を含む。別の代替実施形態では、突出部の第１のペアが省略され、第１のねじ山と係合するように構成された第２のねじ山によって置き換えられる。
【００４８】
上記で説明された実施形態では、エンドキャップ２３は、自動注射器２０の本体１１からキャップ２１を取り外すためのエンドキャップ２３の把持を容易にするフランジ付き部分２３Ｂを含む。しかしながら、代替実施形態（図示せず）では、フランジ付き部分２３Ｂは省略される。そのような一代替実施形態では、エンドキャップは、本体から離れるようにエンドキャップを引っ張るために使用者が把持することができる材料のループを含む。エンドキャップは、ニードルシールドを受けるための円筒状部分を含むことがあり、材料のループは、この円筒状部分に固着される。別の実施形態（図示せず）では、エンドキャップは、本体から離れるようにエンドキャップを引っ張るために使用者が把持することができるフックまたはハンドルを含む。
【００４９】
次に図５〜図７を参照すると、本発明の第２の実施形態による注射デバイス３０が示されている。注射デバイス３０は、上記で図１Ａおよび図１Ｂに関して説明された本発明の第１の実施形態の自動注射器１０に類似した機能を有する自動注射器３０の形をとり、同じ機能は同じ参照番号を保有する。違いは、上記で説明された自動注射器１０のキャップ１２が省略され、代替キャップ３１に置き換えられているということである。
【００５０】
本発明の第２の実施形態の自動注射器３０のキャップ３１は、ニードルシールド３２と、アクチュエータ３３とを含む。ニードルシールド３２は、ハウジング３４と、内側シース３５とを含む。ハウジング３４は、略円筒状である。内側シース３５は、ハウジング３４内で固定的に固設される。内側シース３５は円筒状の凹部３５Ａを含む。凹部３５Ａは、シリンジ１８の端部部分１８Ａを受けるように構成され、したがって、針１７は内側シース３５によって保護される。内側シース３５とシリンジ１８の端部部分１８Ａとの摩擦は、ニードルシールド３２を、針１７を覆う所定の位置に保持するのに十分である。
【００５１】
アクチュエータ３３は、エンドキャップ３３の形態をとる。エンドキャップ３３は、円筒状の凹部３３Ａを含む。
【００５２】
キャップ３１は、支持部材３６と、スピンドル３７と、ホルダ３８とをさらに含む。支持部材３６は管状であり、エンドキャップ３３の端からエンドキャップ３３の凹部３３Ａへと延びる。支持部材３６は、スピンドル３７を受けるように構成された凹部３６Ａを画成する。支持部材３６は、エンドキャップ３３と同軸であり、それと一体的に形成される。
【００５３】
スピンドル３７は略円筒状であり、ニードルシールド３２のハウジング３４の端から延びる。スピンドル３７は、ニードルシールド３２の一部であり、ハウジング３４と同軸であり、これと一体的に形成される。
【００５４】
ホルダ３８は、中空の管である。ホルダ３８の端は、前記端の近くのホルダ３８の一部が支持部材３６とエンドキャップ３３の周囲壁との間に設置されるように、支持部材３６を受けるように構成される。ニードルシールド３２は、内側シース３５がシリンジ１８の端部部分１８Ａ上で受けられるとき、スピンドル３７が支持部材３６の凹部３６Ａ内に設置されるように、ホルダ３８の中に受けられる（図５に示される）。
【００５５】
自動注射器３０は、ニードルシールド３２とエンドキャップ３３との間のカップリングをさらに含む。このカップリングは、第１および第２の接続部３９Ａ、３９Ｂを含む。
【００５６】
第１の接続部３９Ａは、第１のねじ山４０と、突出部の第１のペア４１とを含む。第１のねじ山４０は、スピンドル３７の周囲表面へと形成され、自動注射器３０の中心軸Ａ−Ａのまわりに延びる。突出部の第１のペア４１は、支持部材３６の端の両側から突き出して、自動注射器３０の中心軸Ａ−Ａに向かって径方向に延びる。したがって、突出部の第１のペア４１は、スピンドル３７が支持部材３６内の凹部３６Ａ内に受けられているとき、第１のねじ山４０と係合する。
【００５７】
第１の接続部３９Ａは、本体１１から離れるようなエンドキャップ３３の軸方向運動によって、突出部の第１のペア４１が第１のねじ山４０と係合し、したがって、スピンドル３７が中心軸Ａ−Ａのまわりで本体１１、エンドキャップ３３、およびホルダ３８に対して（図６に示される矢印「Ｃ」の方向に）回転するように構成される。本体１１から離れるようなエンドキャップ３３の軸方向運動によって、スピンドル３７がエンドキャップ３３に対して回転するにつれて、エンドキャップ３３も、スピンドル３７から離れるように（図６における矢印「Ｆ」の方向に）軸方向に動く。
【００５８】
第２の接続部３９Ｂは、第２のねじ山４２と、突出部の第２のペア４３とを含む。第２のねじ山４２は、ニードルシールド３２のハウジング３４の周囲表面へと形成され、自動注射器３０の中心軸Ａ−Ａのまわりに延びる。突出部の第２のペア４３は、ホルダ３８の内側表面の両側から突き出して、自動注射器３０の中心軸Ａ−Ａに向かって延びる。したがって、突出部の第２のペア４３は、ニードルシールド３２がホルダ３８内に受けられると、第２のねじ山４２と係合する。
【００５９】
第２の接続部３９Ｂは、ホルダ３８に対するニードルシールド３２の回転によって、突出部の第２のペア４３が第２のねじ山４２と係合し、したがって、ニードルシールド３２が、本体１１から離れるような方向に（図６に示される矢印「Ｆ」の方向に）本体１１およびホルダ３８に対して軸方向に動くように構成される。
【００６０】
キャップ３１は、最初は、シリンジ１８の端部部分１８Ａが内側シース３５の凹部３５Ａ内に完全に受けられる（図５に示すように）ように、本体１１に取り付けられる。したがって、針１７は、針１７を滅菌状態に保ち、針１７が患者の負傷を引き起こすのを防止するために、ニードルシールド３２によって覆われる。
【００６１】
薬剤を注射するために、キャップ３１は、最初に、本体１１から取り外され、針１７を露出させなければならない。本体１１からのキャップ３１の取り外しは、患者が、一方の手で本体１１を保持し、他方の手で（図６および図７に示される矢印「Ｆ」の方向に）エンドキャップ３３に対して力を及ぼして、エンドキャップ３３を本体１１から離れるように引っ張ることによって達成される。これによって、突出部の第１のペア４１がスピンドル３７に対して（矢印「Ｆ」の方向に）付勢され、したがって、突出部の第１のペア４１が力を第１のねじ山４０に対して及ぼし、これによって、スピンドル３７が本体１１、ホルダ３８、およびエンドキャップ３３に対して中心軸Ａ−Ａのまわりで回転する。エンドキャップ３３も、突出部の第１のペア４１が第１のねじ山４０に対して動くにつれて、スピンドル３７から離れるように軸方向に動く。
【００６２】
スピンドル３７は、ニードルシールド３２のハウジング３４と一体的に形成され、したがって、スピンドル３７の回転によって、ハウジング３４および内側シース３５の回転が引き起こされる。したがって、患者がエンドキャップ３３を引っ張ることによりスピンドル３７が回転すると、第２のねじ山４２が突出部の第２のペア４３と係合し、ホルダ３８に対して軸方向に（図６および図７における矢印「Ｆ」の方向に）ニードルシールド３２を付勢する。ホルダ３８は、ロック４４によって本体１１に対して軸方向に回転不能に固定される。ロック４４は、ホルダ３８内の複数の凹部４５と、複数の凹部４５と係合する、引き込み可能なスリーブ１９上の複数の突起４６とを含む。したがって、ニードルシールド３２が回転し、ホルダ３８に対して軸方向に動くと、ニードルシールド３２は回転し、本体１１から離れるように軸方向に（図６および図７における矢印「Ｆ」の方向に）動く。
【００６３】
針１７は、本体１１に対して固定される。したがって、エンドキャップ３３が患者によって本体１１から離れるように引っ張られると、ニードルシールド３２は回転し、針１７から離れるように軸方向に動き、したがって、ニードルシールド３２は、最初は、シリンジ１８の端部部分１８Ａから部分的に取り外されるようになり（図６に示される）、次いで、シリンジ１８の端部部分１８Ａから完全に取り外されるようになり、したがって、端部部分１８Ａは、もはや内側シース３５の凹部３５Ａ内に受けられない（図７に示される）。
【００６４】
シリンジ１８の端部部分１８Ａが、内側シース３５内の凹部３５Ａから完全に取り外されると、キャップ３１と本体１１との間の摩擦が低減され、したがって、キャップ３１は、本体１１から容易に取り外し可能である。これは、ホルダ３８が本体１１から離れるように付勢され、これによって、突起４６が凹部４５と係合解除し、その結果、ホルダ３８が引き込み可能なスリーブ１９から分離されるように、本体１１から離れるようにエンドキャップ３３を引っ張ることによって達成される。支持部材３６は、ホルダ３８の第２のストッパ４８と係合する第１のストッパ４７を有する。第１のストッパ４７は、径方向外側に延びる環状リップの形態をとり、第２のストッパ４８は、径方向内側に延びる環状のリップの形態をとる。第１および第２のストッパ４７、４８は、エンドキャップ３３を引っ張ると、本体１１から離れるようにホルダ３８を付勢する軸方向の力がホルダ３８に対して及ぼされるように、軸方向運動の範囲をエンドキャップ３３とホルダ３８との間に制限するように構成される。
【００６５】
エンドキャップ３３が本体１１から離れるように軸方向に動かされるときのシリンジ１８の端部部分１８Ａに対するニードルシールド３２の回転運動は、内側シース３５と端部部分１８Ａとの間の静止摩擦に打ち勝ち、本体１１からキャップ３１を取り外ししやすくする。本体１１に対するエンドキャップ３３の（矢印「Ｆ」の方向における）直線的な引っ張り動作によって、キャップ３１の取り外しは、本体１１に対してキャップ３１を手動でねじるために必要とされる器用さを持たないことがある高齢者および虚弱者にとって容易になる。
【００６６】
第１のねじ山４０は、エンドキャップ３３が本体１１から離れるように（矢印「Ｆ」の方向に）引っ張られることによる、第１の距離だけのニードルシールド３２に対するエンドキャップ３３の軸方向運動により、ニードルシールド３２が、第１の距離よりも小さい第２の距離だけ本体１１およびホルダ３８に対して軸方向に動くように、第２のねじ山４２よりも大きいピッチを有する。第１および第２のねじ山４０、４２のこの構成は、エンドキャップ３３が所与の力によって本体１１から離れるように引っ張られる場合、ニードルシールド３２をシリンジ１８の端部部分１８Ａから離れるように付勢するようにニードルシールド３２に対して作用する合力は、前記所与の力よりも大きいことを意味する。したがって、カップリングは、キャップ３１を本体１１から取り外すために患者が及ぼさなければならない力の量を減少させる。
【００６７】
第２の実施形態では、第１の接続部３９Ａは、スピンドル３７上の第１のねじ山４０と支持部材３６上の、突出部の第１のペア４１とを含むが、代替実施形態（図示せず）では、突出部の第１のペアは、スピンドル上に設けられ、支持部材は、第１のねじ山を含む。同様に、別の代替実施形態（図示せず）では、突出部の第２のペアは、ニードルシールドのハウジング上に設けられ、ホルダは、第２のねじ山を含む。さらに別の実施形態では、突出部の第１および／または第２のペアは省略され、それぞれ第１および／または第２のねじ山と係合するように構成された対応する第３および／または第４のねじ山によって置き換えられる。別の代替実施形態（図示せず）では、第１および第２のねじ山は省略され、各々、突出部を受ける軌道の対応するペアによって置き換えられる。この軌道のペアは、軌道に対する中心軸の方向の突出部の動きにより、中心軸のまわりで突出部に対して軌道が回転するように、自動注射器の中心軸に対して傾斜している。
【００６８】
上記で説明された実施形態では、アクチュエータ２３、３３はエンドキャップ２３、３３を含むが、代替実施形態（図示せず）では、アクチュエータは、異なるタイプの構成要素、たとえば、ニードルシールドを囲み、本体に対して回転するようにニードルシールドを付勢するようにニードルシールドに対して軸方向に摺動される外側リングを含む。
【００６９】
上記で説明された実施形態では、注射デバイス２０、３０は自動注射器２０、３０の形態をとるが、代替実施形態（図示せず）では、注射デバイス２０、３０は、異なるタイプの薬物送達デバイスを含む。
【００７０】
上記で説明された実施形態では、ニードルシールド２２、３２は、ハウジング２４、３４と、ハウジング２４、３４内に受けられる別個の内側シース２５、３５とを含むが、代替実施形態（図示せず）では、ハウジングは省略されるか、または内側シースと一体的に形成される。
【００７１】
図２から７では、ねじ山２７、４０、４２は概略的に示されており、したがって、比較的低いピッチを有するように見えることに留意されたい。しかしながら、いくつかの構成では、ねじ山が、本体から離れるようなアクチュエータの軸方向運動により、本体に対してニードルシールドが回転することを保証するために、示されているよりも高いピッチを必要とすることがあることを理解されたい。
【００７２】
本明細書で使用する用語「薬物」または「薬剤」は、１つまたはそれ以上の薬学的に活性な化合物を説明するために本明細書において使用される。以下に説明されるように、薬物または薬剤は、１つまたはそれ以上の疾患を処置するための、さまざまなタイプの製剤の少なくとも１つの低分子もしくは高分子、またはその組み合わせを含むことができる。例示的な薬学的に活性な化合物は、低分子；ポリペプチド、ペプチド、およびタンパク質（たとえばホルモン、成長因子、抗体、抗体フラグメント、および酵素）；炭水化物および多糖類；ならびに核酸、二本鎖または一本鎖ＤＮＡ（裸およびｃＤＮＡを含む）、ＲＮＡ、アンチセンスＤＮＡおよびＲＮＡなどのアンチセンス核酸、低分子干渉ＲＮＡ（ｓｉＲＮＡ）、リボザイム、遺伝子、およびオリゴヌクレオチドを含むことができる。核酸は、ベクター、プラスミド、またはリポソームなどの分子送達システムに組み込むことができる。これらの薬物の１つまたはそれ以上の混合物もまた、企図される。
【００７３】
用語「薬物送達デバイス」は、薬物をヒトまたは動物の体内に投薬するように構成されたあらゆるタイプのデバイスまたはシステムを包含するものである。限定されることなく、薬物送達デバイスは、注射デバイス（たとえばシリンジ、ペン型注射器、自動注射器、大容量デバイス、ポンプ、かん流システム、または眼内、皮下、筋肉内、もしくは血管内送達にあわせて構成された他のデバイス）、皮膚パッチ（たとえば、浸透圧性、化学的、マイクロニードル）、吸入器（たとえば鼻用または肺用）、埋め込み（たとえば、コーティングされたステント、カプセル）、または胃腸管用の供給システムとすることができる。ここに説明される薬物は、針、たとえば小ゲージ針を含む注射デバイスで特に有用であることができる。
【００７４】
薬物または薬剤は、薬物送達デバイスで使用するように適用された主要パッケージまたは「薬物容器」内に含むことができる。薬物容器は、たとえば、カートリッジ、シリンジ、リザーバ、または１つまたはそれ以上の薬学的に活性な化合物の保存（たとえば短期または長期保存）に適したチャンバを提供するように構成された他の容器とすることができる。たとえば、一部の場合、チャンバは、少なくとも１日（たとえば１日から少なくとも３０日まで）の間薬物を保存するように設計することができる。一部の場合、チャンバは、約１カ月から約２年の間薬物を保存するように設計することができる。保存は、室温（たとえば約２０℃）または冷蔵温度（たとえば約−４℃から約４℃まで）で行うことができる。一部の場合、薬物容器は、薬物製剤の２つまたはそれ以上の成分（たとえば薬物および希釈剤、または２つの異なるタイプの薬物）を別々に、各チャンバに１つずつ保存するように構成された二重チャンバカートリッジとすることができ、またはこれを含むことができる。そのような場合、二重チャンバカートリッジの２つのチャンバは、ヒトまたは動物の体内に投薬する前、および／または投薬中に薬物または薬剤の２つまたはそれ以上の成分間で混合することを可能にするように構成することができる。たとえば、２つのチャンバは、これらが（たとえば２つのチャンバ間の導管によって）互いに流体連通し、所望の場合、投薬の前にユーザによって２つの成分を混合することを可能にするように構成することができる。代替的に、またはこれに加えて、２つのチャンバは、成分がヒトまたは動物の体内に投薬されているときに混合することを可能にするように構成することができる。
【００７５】
本明細書において説明される薬物送達デバイスおよび薬物は、数多くの異なるタイプの障害の処置および／または予防に使用することができる。例示的な障害は、たとえば、糖尿病、または糖尿病性網膜症などの糖尿病に伴う合併症、深部静脈血栓塞栓症または肺血栓塞栓症などの血栓塞栓症を含む。さらなる例示的な障害は、急性冠症候群（ＡＣＳ）、狭心症、心筋梗塞、がん、黄斑変性症、炎症、枯草熱、アテローム性動脈硬化症および／または関節リウマチである。
【００７６】
糖尿病または糖尿病に伴う合併症の処置および／または予防のための例示的な薬物は、インスリン、たとえばヒトインスリン、またはヒトインスリン類似体もしくは誘導体、グルカゴン様ペプチド（ＧＬＰ−１）、ＧＬＰ−１類似体もしくはＧＬＰ−１受容体アゴニスト、またはその類似体もしくは誘導体、ジペプチジルペプチダーゼ−４（ＤＰＰ４）阻害剤、または薬学的に許容される塩もしくはその溶媒和物、またはそれらの任意の混合物を含む。本明細書において使用される用語「誘導体」は、元の物質と構造的に十分同様のものであり、それによって同様の機能または活性（たとえば治療効果性）を有することができる任意の物質を指す。
【００７７】
例示的なインスリン類似体は、Ｇｌｙ（Ａ２１），Ａｒｇ（Ｂ３１），Ａｒｇ（Ｂ３２）ヒトインスリン（インスリングラルギン）；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンである。
【００７８】
例示的なインスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。例示的なＧＬＰ−１、ＧＬＰ−１類似体およびＧＬＰ−１受容体アゴニストは、たとえば：リキシセナチド（Ｌｉｘｉｓｅｎａｔｉｄｅ）／ＡＶＥ００１０／ＺＰ１０／リキスミア（Ｌｙｘｕｍｉａ）、エキセナチド（Ｅｘｅｎａｔｉｄｅ）／エクセンディン−４（Ｅｘｅｎｄｉｎ−４）／バイエッタ（Ｂｙｅｔｔａ）／ビデュリオン（Ｂｙｄｕｒｅｏｎ）／ＩＴＣＡ６５０／ＡＣ−２９９３（アメリカドクトカゲの唾液腺によって産生される３９アミノ酸ペプチド）、リラグルチド（Ｌｉｒａｇｌｕｔｉｄｅ）／ビクトザ（Ｖｉｃｔｏｚａ）、セマグルチド（Ｓｅｍａｇｌｕｔｉｄｅ）、タスポグルチド（Ｔａｓｐｏｇｌｕｔｉｄｅ）、シンクリア（Ｓｙｎｃｒｉａ）／アルビグルチド（Ａｌｂｉｇｌｕｔｉｄｅ）、デュラグルチド（Ｄｕｌａｇｌｕｔｉｄｅ）、ｒエクセンディン−４、ＣＪＣ−１１３４−ＰＣ、ＰＢ−１０２３、ＴＴＰ−０５４、ラングレナチド（Ｌａｎｇｌｅｎａｔｉｄｅ）／ＨＭ−１１２６０Ｃ、ＣＭ−３、ＧＬＰ−１エリゲン、ＯＲＭＤ−０９０１、ＮＮ−９９２４、ＮＮ−９９２６、ＮＮ−９９２７、ノデキセン（Ｎｏｄｅｘｅｎ）、ビアドール（Ｖｉａｄｏｒ）−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド（Ｅｘｅｎａｔｉｄｅ）−ＸＴＥＮおよびグルカゴン−Ｘｔｅｎである。
【００７９】
例示的なオリゴヌクレオチドは、たとえば：家族性高コレステロール血症の処置のためのコレステロール低下アンチセンス治療薬である、ミポメルセン（ｍｉｐｏｍｅｒｓｅｎ）／キナムロ（Ｋｙｎａｍｒｏ）である。
【００８０】
例示的なＤＰＰ４阻害剤は、ビルダグリプチン（Ｖｉｌｄａｇｌｉｐｔｉｎ）、シタグリプチン（Ｓｉｔａｇｌｉｐｔｉｎ）、デナグリプチン（Ｄｅｎａｇｌｉｐｔｉｎ）、サキサグリプチン（Ｓａｘａｇｌｉｐｔｉｎ）、ベルベリン（Ｂｅｒｂｅｒｉｎｅ）である。
【００８１】
例示的なホルモンは、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、およびゴセレリンなどの、脳下垂体ホルモンまたは視床下部ホルモンまたは調節性活性ペプチドおよびそれらのアンタゴニストを含む。
【００８２】
例示的な多糖類は、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩を含む。ポリ硫酸化低分子量ヘパリンの薬学的に許容される塩の例としては、エノキサパリンナトリウムがある。ヒアルロン酸誘導体の例としては、ＨｙｌａｎＧ−Ｆ２０／Ｓｙｎｖｉｓｃ、ヒアルロン酸ナトリウムがある。
【００８３】
本明細書において使用する用語「抗体」は、免疫グロブリン分子またはその抗原結合部分を指す。免疫グロブリン分子の抗原結合部分の例は、抗原を結合する能力を保持するＦ（ａｂ）およびＦ（ａｂ’）２フラグメントを含む。抗体は、ポリクローナル、モノクローナル、組換え型、キメラ型、非免疫型またはヒト化、完全ヒト型、非ヒト型（たとえばマウス）、または一本鎖抗体とすることができる。いくつかの実施形態では、抗体はエフェクター機能を有し、補体を固定することができる。いくつかの実施形態では、抗体は、Ｆｃ受容体と結合する能力が低く、または結合することはできない。たとえば、抗体は、アイソタイプもしくはサブタイプ、抗体フラグメントまたは変異体とすることができ、Ｆｃ受容体との結合を支持せず、たとえば、これは、突然変異したまたは欠失したＦｃ受容体結合領域を有する。
【００８４】
用語「フラグメント」または「抗体フラグメント」は、全長抗体ポリペプチドを含まないが、抗原と結合することができる全長抗体ポリペプチドの少なくとも一部分を依然として含む、抗体ポリペプチド分子（たとえば、抗体重鎖および／または軽鎖ポリペプチド）由来のポリペプチドを指す。抗体フラグメントは、全長抗体ポリペププチドの切断された部分を含むことができるが、この用語はそのような切断されたフラグメントに限定されない。本発明に有用である抗体フラグメントは、たとえば、Ｆａｂフラグメント、Ｆ（ａｂ’）２フラグメント、ｓｃＦｖ（一本鎖Ｆｖ）フラグメント、直鎖抗体、二重特異性、三重特異性、および多重特異性抗体（たとえば、ダイアボディ、トリアボディ、テトラボディ）などの単一特異性または多重特異性抗体フラグメント、ミニボディ、キレート組換え抗体、トリボディまたはバイボディ、イントラボディ、ナノボディ、小モジュラー免疫薬（ＳＭＩＰ）、結合ドメイン免疫グロブリン融合タンパク質、ラクダ化抗体、およびＶＨＨ含有抗体を含む。抗原結合抗体フラグメントのさらなる例は、当技術分野で知られている。
【００８５】
用語「相補性決定領域」または「ＣＤＲ」は、特異的抗原認識を仲介する役割を主に担う重鎖および軽鎖両方のポリペプチドの可変領域内の短いポリペプチド配列を指す。用語「フレームワーク領域」は、ＣＤＲ配列ではなく、ＣＤＲ配列の正しい位置決めを維持して抗原結合を可能にする役割を主に担う重鎖および軽鎖両方のポリペプチドの可変領域内のアミノ酸配列を指す。フレームワーク領域自体は、通常、当技術分野で知られているように、抗原結合に直接的に関与しないが、特定の抗体のフレームワーク領域内の特定の残基が、抗原結合に直接的に関与することができ、またはＣＤＲ内の１つまたはそれ以上のアミノ酸が抗原と相互作用する能力に影響を与えることができる。
【００８６】
例示的な抗体は、アンチＰＣＳＫ−９ｍＡｂ（たとえばアリロクマブ（Ａｌｉｒｏｃｕｍａｂ））、アンチＩＬ−６ｍＡｂ（たとえばサリルマブ（Ｓａｒｉｌｕｍａｂ））、およびアンチＩＬ−４ｍＡｂ（たとえばデュピルマブ（Ｄｕｐｉｌｕｍａｂ））である。
【００８７】
本明細書において説明される化合物は、（ａ）化合物または薬学的に許容されるその塩、および（ｂ）薬学的に許容される担体を含む医薬製剤において使用することができる。化合物はまた、１つまたはそれ以上の他の医薬品有効成分を含む医薬製剤、または存在する化合物またはその薬学的に許容される塩が唯一の有効成分である医薬製剤において使用することもできる。したがって、本開示の医薬製剤は、本明細書において説明される化合物および薬学的に許容される担体を混合することによって作られる任意の製剤を包含する。
【００８８】
本明細書において説明される任意の薬物の薬学的に許容される塩もまた、薬物送達デバイスにおける使用に企図される。薬学的に許容される塩は、たとえば酸付加塩および塩基性塩である。酸付加塩は、たとえば、ＨＣｌまたはＨＢｒ塩である。塩基性塩は、たとえば、アルカリもしくはアルカリ土類金属、たとえばＮａ＋、もしくはＫ＋、もしくはＣａ２＋、またはアンモニウムイオンＮ＋（Ｒ１）（Ｒ２）（Ｒ３）（Ｒ４）（式中、Ｒ１からＲ４は互いに独立して：水素、場合により置換されたＣ１〜Ｃ６−アルキル基、場合により置換されたＣ２〜Ｃ６−アルケニル基、場合により置換されたＣ６〜Ｃ１０−アリル基、または場合により置換されたＣ６〜Ｃ１０−ヘテロアリール基を意味する）から選択されるカチオンを有する塩である。薬学的に許容される塩のさらなる例は、当業者に知られている。
【００８９】
薬学的に許容される溶媒和物は、たとえば、水和物またはメタノラート（ｍｅｔｈａｎｏｌａｔｅ）またはエタノラート（ｅｔｈａｎｏｌａｔｅ）などのアルカノラート（ａｌｋａｎｏｌａｔｅ）である。
【００９０】
当業者は、本明細書に記載の物質、配合物、装置、方法、システム、および実施形態のさまざまな構成要素の修正（追加および／または除去）が、そのような修正およびそのあらゆる均等物を包含する本発明の全範囲および趣旨から逸脱することなく、なされることを理解するであろう。
【図１Ａ】
2018535034.tif 000003
【図１Ｂ】
2018535034.tif 000004
【図２】
2018535034.tif 000005
【図３】
2018535034.tif 000006
【図４】
2018535034.tif 000007
【図５】
2018535034.tif 000008
【図６】
2018535034.tif 000009
【国際調査報告】
2018535034.tif 000010
2018535034.tif 000011